【手続補正書】
【提出日】平成24年6月11日(2012.6.11)
【手続補正１】
【補正対象書類名】明細書
【補正対象項目名】００８３
【補正方法】変更
【補正の内容】
【００８３】
キャリアは、実質的に不揮発性であるため、大部分が組成物中に留まり、有機可塑剤として機能し得る。本明細書において使用する際、可塑剤とは、ポリマー組成物に加えられた際にガラス転移温度の低下を生じる、１０００ダルトン未満の分子量を有する化合物である。可能な界面活性剤キャリアとしては、１つ以上のヒドロキシル基を含有する化合物、特にグリコール、例えばグリセリン；１，２ペンタンジオール；２，４ジエチル−１，５ペンタンジオール；２−メチル−１，３−プロパンジオール；加えて単官能性化合物、例えば３−メトキシ−メチルブタノール（「ＭＭＢ」）が挙げられる。不揮発性有機可塑剤の追加的な例としては、ポリエトキシ化フェノールを含むポリエーテル、例えばＰｙｃａｌ  ９４（フェノキシポリエチレングリコール）；アルキル、アリール、及びアラルキルエーテルグリコール（例えばＤｏｗ  Ｃｈｅｍｉｃａｌ  Ｃｏｍｐａｎｙ，Ｍｉｄｌａｎｄ  Ｍｉｃｈによって商品名Ｄｏｗａｎｏｌ（商標）として市販されているもの、（プロピレングリコールモノブチルエーテル（Ｄｏｗａｎｏｌ  ＰｎＢ）、トリプロピレングリコールモノブチルエーテル（Ｄｏｗａｎｏｌ  ＴＰｎＢ）、ジプロピレングリコールモノブチルエーテル（Ｄｏｗａｎｏｌ  ＤＰｎＢ）、プロピレングリコールモノフェニルエーテル（Ｄｏｗａｎｏｌ  ＰＰＨ）プロピレングリコールモノメチルエーテル（Ｄｏｗａｎｏｌ  ＰＭ）が挙げられるがこれらに限定されない）；ポリエトキシ化アルキルフェノール、例えばＴｒｉｔｏｎ  Ｘ３５及びＴｒｉｏｎ  Ｘ１０２（Ｄｏｗ  Ｃｈｅｍｉｃａｌ  Ｃｏｍｐａｎｙ，Ｍｉｄｌａｎｄ  Ｍｉｃｈから入手可能）；一置換若しくは多置換ポリエチレングリコール、例えばＰＥＧ  ４００ジエチルヘキサノエート（ＣＰ  Ｈａｌｌ  Ｃｏｍｐａｎｙから入手可能なＴｅｇＭｅｒ  ８０９）、ＰＥＧ  ４００モノラウレート（ＣＰ  Ｈａｌｌ  Ｃｏｍｐａｎｙから入手可能なＣＨＰ−３０Ｎ）、及びＰＥＧ  ４００モノオレエート（ＣＰ  Ｈａｌｌ  Ｃｏｍｐａｎｙから入手可能なＣＰＨ−４１Ｎ）；高級アルキル置換Ｎ−アルキルピロリドンを含むアミド、例えばＮ−オクチルピロリドン；Ｎ−ブチルベンゼンスルホンアミド（ＣＰ  Ｈａｌｌ  Ｃｏｍｐａｎｙから入手可能）などのスルホンアミド；トリグリセリド；クエン酸エステル；酒石酸のエステル；安息香酸エステル（商品名ＢｅｎｚｏｆｌｅｘとしてＶｅｌｓｉｃｏｌ  Ｃｈｅｍｉｃａｌ  Ｃｏｒｐ．，Ｒｏｓｅｍｏｎｔ  Ｉｌｌから入手可能なものなど）（ジプロピレングリコールジベンゾエート（Ｂｅｎｚｏｆｌｅｘ  ５０）、及びジエチレングリコールジベンゾエートを含む）；２，２，４トリメチル１，３ペンタンジオールの安息香酸ジエステル（Ｂｅｎｚｏｆｌｅｘ  ３５４）、エチレングリコールジベンゾエート、テトラエチレングリコールジベンゾエートなど；１０，０００ダルトン未満、好ましくは約５０００ダルトン未満、より好ましくは約２５００ダルトン未満の分子量を有する、ポリエチレングリコール及びエチレンオキシドプロピレンオキシドのランダム及びブロックコポリマー；並びにこれらの組み合わせが挙げられる。本明細書で使用する際、用語ポリエチレングリコールは、エチレンオキシド、又は２���ハロエタノールと反応した２〜６のアルコール基を有するグリコールを指す。
【手続補正２】
【補正対象書類名】明細書
【補正対象項目名】０１３２
【補正方法】変更
【補正の内容】
【０１３２】
これらの結果は、アルコキシル化ホスフェート界面活性剤、Ｃｒｏｄａｐｈｏｓ  ＳＧが、親水性を有意に改善したことを示す。比較すると、Ｃｉｔｒｏｆｌｅｘ可塑剤を有し、界面活性剤を有さないＰＬＡの接触角は、依然として非常に疎水性であり、６０℃を超える接触角を有した（データは示されない）。酸性型のＣｒｏｄａｐｈｏｓ  ＳＧの追加（実施例６）は、接触角を２７°未満に低減させた。より多くのＣｒｏｄａｐｈｏｓ  ＳＧ（実施例７）の追加は、接触角を更に低減し、トリエタノールアミンとの中和はホスフェート塩を生成して接触角をより更に低減した（実施例８）。
特定の代表的な実施形態及び詳細を、本発明を説明する目的で論じてきたが、以下の特許請求の範囲に示される、本発明の真の範囲から逸脱することなく、本発明で種々の修正を行うことが可能である。本発明の実施態様の一部を以下の項目１−３９に列記する。
〔１〕
少なくとも１つの熱可塑性脂肪族ポリエステルと、
２００℃未満の融点を有する１つ以上のアルキル、アルケニル、アラルキル、又はアルカリールアニオン性界面活性剤とを含む、持続性の親水性組成物であって、
前記界面活性剤が前記ポリエステルに組み込まれる、持続性の親水性組成物。
〔２〕
少なくとも１つの熱可塑性脂肪族ポリエステルと、
１つ以上のアルキル、アルケニル、アラルキル、又はアルカリールアニオン性界面活性剤とのブレンドを含む、持続性の親水性組成物であって、
前記界面活性剤が前記ポリエステルに組み込まれ、前記組成物が４５℃で１０日超経過後にも親水性を維持する、持続性の親水性組成物。
〔３〕
少なくとも１つの熱可塑性脂肪族ポリエステルと、
１つ以上のアルキル、アルケニル、アラルキル、又はアルカリールアニオン性界面活性剤とのブレンドを含む、持続性の親水性組成物であって、
前記組成物が、４５℃で１０日超経過後にも親水性を維持する、持続性の親水性組成物。
〔４〕
界面活性剤キャリアを更に含む、項目１、２、又は３のいずれか一項に記載の組成物。
〔５〕
前記熱可塑性脂肪族ポリエステルが、１つ以上のポリ（乳酸）、ポリ（グリコール酸）、ポリ乳酸グリコール酸共重合体、ポリブチレンスクシネート、ポリヒドロキシブチレート、ポリヒドロキシバレレート、これらのブレンド、及びこれらのコポリマーからなる群から選択される、項目１、２、３、又は４のいずれか一項に記載の組成物。
〔６〕
前記熱可塑性脂肪族ポリエステルとは異なる熱可塑性ポリマーを更に含む、項目１、２、３、又は４に記載の組成物。
〔７〕
前記熱可塑性脂肪族ポリエステルが、前記組成物中に存在する前記熱可塑性ポリマーの６０重量％を超える量で存在する、項目１〜６のいずれか一項に記載の組成物。
〔８〕
前記アニオン性界面活性剤が、１つ以上のアルキル、アルケニル、アルカリール、及びアラルキルスルホネート；アルキル、アルケニル、アルカリール、及びアラルキルスルフェート；アルキル、アルケニル、アルカリール、及びアラルキルホスホネート；アルキル、アルケニル、アルカリール、及びアラルキルホスフェート；アルキル、アルケニル、アルカリール、及びアラルキルカルボキシレート；アルキルアルコキシル化カルボキシレート；アルキルアルコキシル化スルフェート；アルキルアルコキシル化スルホネート；アルキルアルコキシル化ホスフェート、並びにこれらの組み合わせかななる群から選択される、項目１〜７のいずれか一項に記載の組成物。
〔９〕
前記アニオン性界面活性剤が、（Ｃ８〜Ｃ２２）アルキルスルフェート塩、ジ（Ｃ８〜Ｃ１８）スルホスクシネート塩、Ｃ８〜Ｃ２２アルキルサルコシネート塩、Ｃ８〜Ｃ２２アルキルラクチレート塩、及びこれらの組み合わせからなる群から選択される、項目１〜８のいずれか一項に記載の組成物。
〔１０〕
前記アニオン性界面活性剤が、前記組成物の８重量％以下の量で存在する、項目１〜９のいずれか一項に記載の組成物。
〔１１〕
前記アニオン性界面活性剤が、前記組成物の１重量％超の量で存在する、項目１〜１０のいずれか一項に記載の組成物。
〔１２〕
前記界面活性剤キャリアが、２３℃で液体である、項目１〜１１のいずれか一項に記載の組成物。
〔１３〕
前記アニオン性界面活性剤が、１９０℃未満の融点を有する、項目１〜１２のいずれか一項に記載の組成物。
〔１４〕
前記アニオン性界面活性剤が、１８０℃未満の融点を有する、項目１〜１３のいずれか一項に記載の組成物。
〔１５〕
前記アニオン性界面活性剤が、１７０℃未満の融点を有する、項目１〜１４のいずれか一項に記載の組成物。
〔１６〕
前記界面活性剤キャリアが、ポリアルキレングリコール、多価アルコール、グリセリントリグリセリド（glycerin triglcyerides）、クエン酸エステル、脂肪族ジエステル、及びこれらの組み合わせからなる群から選択される、項目１〜１５のいずれか一項に記載の組成物。
〔１７〕
前記アニオン性界面活性剤が、５重量％未満の水を含む、項目１〜１６のいずれか一項に記載の組成物。
〔１８〕
前記界面活性剤キャリアが、５重量％未満の水を含む、項目１〜１７のいずれか一項に記載の組成物。
〔１９〕
前記アニオン性界面活性剤とは異なり、かつ前記界面活性剤キャリアとも異なる可塑剤を更に含む、項目１〜１８のいずれか一項に記載の組成物。
〔２０〕
前記脂肪族ポリエステルが半結晶性である、項目１〜１９のいずれか一項に記載の組成物。
〔２１〕
前記アニオン性界面活性剤が、前記脂肪族ポリエステルの３重量％超の量で存在する、項目１〜２０のいずれか一項に記載の組成物。
〔２２〕
抗菌性成分を更に含む、項目１〜２１のいずれか一項に記載の組成物。
〔２３〕
前記抗菌性成分が、前記脂肪族ポリエステルの２０重量％超の量で存在する、項目１〜２２のいずれか一項に記載の組成物。
〔２４〕
前記組成物が生体適合性である、項目１〜２３のいずれか一項に記載の組成物。
〔２５〕
前記組成物が溶融加工可能である、項目１〜２４のいずれか一項に記載の組成物。
〔２６〕
成形ポリマー物品、ポリマーシート、ポリマー繊維、織布ウェブ、不織布ウェブ、多孔質膜、ポリマーフォーム、加えて層状組成物、例えば、熱積層体又は接着積層体、及びこれらの組み合わせから選択される、項目１〜２５のいずれか一項に記載の組成物を含む物品。
〔２７〕
前記不織布が、スパンボンドウェブ、ブローンマイクロファイバーウェブ、又は水流交絡ウェブからなる群から選択される、項目１６に記載の物品。
〔２８〕
項目１、２、３、又は４に記載の組成物を含む外科用ドレープ。
〔２９〕
項目１、２、３、又は４に記載の組成物を含む外科用ガウン。
〔３０〕
項目１、２、３、又は４に記載の組成物を含む創傷接触材料。
〔３１〕
項目１、２、３、又は４に記載の組成物を含むおむつ、又は女性用衛生パッドなどの個人衛生物品。
〔３２〕
少なくとも１つの熱可塑性脂肪族ポリエステルを提供する工程と、
２００℃未満の融点を有する１つ以上のアルキル、アルケニル、アラルキル、又はアルカリールアニオン性界面活性剤を提供する工程と、
溶融形態の前記脂肪族ポリエステルを、前記界面活性剤とブレンドする工程とを含む、持続性の親水性組成物の製造方法。
〔３３〕
界面活性剤キャリアを更に含む、項目３２に記載の方法。
〔３４〕
前記アニオン性界面活性剤とブレンドした前記脂肪族ポリエステルを押し出す工程を更に含む、項目３２、又は３３のいずれか一項に記載の方法。
〔３５〕
前記脂肪族ポリエステルと前記アニオン性界面活性剤とをブレンドする工程が、前記脂肪族ポリエステル及び前記アニオン性界面活性剤を押し出す工程を含む、項目３２、３３、又は３４のいずれか一項に記載の方法。
〔３６〕
追加的な脂肪族ポリエステルを加える後続の工程を更に含む、項目３２、３３、３４、又は３５のいずれか一項に記載の方法。
〔３７〕
押し出された組成物を後加熱する工程を更に含む、項目３２、３３、３４、又は３５のいずれか一項に記載の方法。
〔３８〕
少なくとも１つの熱可塑性脂肪族ポリエステルを提供する工程であって、当該ポリマーが溶媒に可溶性又は分散性である工程と、
１つ以上のアルキル、アルケニル、アラルキル、又はアルカリールアニオン性界面活性剤を提供する工程と、
任意により界面活性剤キャリアを提供する工程と、
前記脂肪族ポリエステルに前記界面活性剤、及び任意に前記界面活性剤キャリアを組み込む工程と、
前記組成物をフィルム又はフォームに溶媒流延する工程とを含む、持続性の親水性組成物の製造方法。
〔３９〕
少なくとも１つの熱可塑性脂肪族ポリエステルを提供する工程であって、当該ポリマーが溶媒に可溶性又は分散性である工程と、
１つ以上のアルキル、アルケニル、アラルキル、又はアルカリールアニオン性界面活性剤を提供する工程と、
任意の界面活性剤キャリアを提供する工程と、
前記脂肪族ポリエステルに前記界面活性剤、及び任意に前記界面活性剤キャリアを組み込む工程と、
前記組成物を溶剤紡糸して１つ以上の繊維を形成する工程とを含む、持続性の親水性組成物の製造方法。
【手続補正３】
【補正対象書類名】特許請求の範囲
【補正対象項目名】全文
【補正方法】変更
【補正の内容】
【特許請求の範囲】
【請求項１】
少なくとも１つの熱可塑性脂肪族ポリエステルと、
前記ポリエステルに添加剤として組み込まれた、１つ以上のアルキル、アルケニル、アラルキル、又はアルカリールアニオン性界面活性剤とのブレンドを含む、持続性の親水性組成物であって、
前記組成物が繊維又は布地の形態であり、２３℃で少なくとも３０日経ったときに吸水性を維持する、持続性の親水性組成物。
【請求項２】
前記界面活性剤が、アルキルスルフェート、アルケニルスルフェート、アルカリールスルフェート、アラルキルスルフェート、アルキルアルコキシル化スルフェート、アルキルスルホネート、アルケニルスルホネート、アルカリールスルホネート、アラルキルスルホネート、アルキルアルコキシル化スルホネート、アルキルホスフェート、アルケニルホスフェート、アルカリールホスフェート、アラルキルホスフェート、アルキルアルコキシル化ホスフェート、アルキルカルボキシレート、アルケニルカルボキシレート、アルカリールカルボキシレート、アラルキルカルボキシレート、アルキルアルコキシル化カルボキシレート、及びそれらの組み合わせからなる群より選択される、請求項１に記載の持続性の親水性組成物。